(57)【要約】      （修正有）【課題】ロック解除動作における損傷や破壊を回避できる、２つの切り欠きを有する可撓性フラットケーブルに適用される簡易ロック式ＬＶＤＳコネクタを提供する。【解決手段】簡易ロック式ＬＶＤＳコネクタ１０は、ゴム芯１２と、ロック固定モジュール１４とを備える。可撓性フラットケーブルをゴム芯の差込口に差し込み、かつゴム芯の収容空間に進入させるとき、可撓性フラットケーブルは、ロック固定モジュールの作動を駆動することで、２つの切り欠きを係止することができ、またロック固定モジュールの第１ロック固定部材１４２と第２ロック固定部材１４４とは、それぞれ外力を受けて独立して駆動されることにより、ロック固定モジュールの２つの切り欠きの１つへの係止を解除することで、差込口を通して可撓性フラットケーブルを収容空間から退避させる。【選択図】図１
0003229227.tif 000002
【実用新案登録請求の範囲】
【請求項１】
２つの切り欠きを有する可撓性フラットケーブルに適用される簡易ロック式ＬＶＤＳコネクタであって、
ゴム芯と、ロック固定モジュールとを備え、
前記ゴム芯に、差込口と、収容空間と、複数の開口とを形成し、前記差込口は前記ゴム芯の一側に形成され、前記ゴム芯に形成される前記収容空間は、前記可撓性フラットケーブルを設置するために供され、当該開口は前記ゴム芯の前記差込口と対向する他側に形成され、
前記ロック固定モジュールは、第１ロック固定部材と、第２ロック固定部材とを有し、前記第１ロック固定部材の一部分は前記収容空間に設置され、前記第１ロック固定部材の他部分は、前記複数の開口の１つを通して前記ゴム芯の前記他側の辺縁から第１距離をおいて突出し、前記第２ロック固定部材の一部分は前記収容空間に設置され、前記第２ロック固定部材の他部分は、前記複数の開口の他の１つを通して前記ゴム芯の前記他側の辺縁から第２距離をおいて突出し、
前記可撓性フラットケーブルを前記差込口に差し込んで前記収容空間に進入させ、前記可撓性フラットケーブルは、前記ロック固定モジュールの作動を駆動することで、前記２つの切り欠きを係止し、また前記第１ロック固定部材と前記第２ロック固定部材とは、それぞれ外力を受けて独立して駆動されることにより、前記ロック固定モジュールの前記２つの切り欠きの１つへの係止を解除することで、前記差込口を通して前記可撓性フラットケーブルを前記収容空間から退避させることを特徴とする、簡易ロック式ＬＶＤＳコネクタ。
【請求項２】
前記第１ロック固定部材と前記第２ロック固定部材とは、それぞれ押圧ブロックと、弾性アームと、係止ブロックと、固定ブラケットと、伸長アームとを有し、前記固定ブラケットから、前記係止ブロックと、前記弾性アームと、前記伸長アームとが順に延設され、前記押圧ブロックは前記伸長アームを介して前記弾性アームに接続され、前記伸長アームは、それぞれ前記複数の開口の１つを通して前記ゴム芯の前記他側の辺縁から外向きに前記第１距離または前記第２距離をおいて突出することを特徴とする、請求項１に記載の簡易ロック式ＬＶＤＳコネクタ。
【請求項３】
前記第１ロック固定部材の前記押圧ブロックと前記第２ロック固定部材の前記押圧ブロックとを接続する接続部材をさらに備え、前記接続部材が前記外力により押圧されることで、前記第１ロック固定部材の前記弾性アームと前記第２ロック固定部材の前記弾性アームとを変形させることにより、前記第１ロック固定部材の前記係止ブロックと前記第２ロック固定部材の前記係止ブロックとを前記２つの切り欠きに係止することを同時に解除するために供されることを特徴とする、請求項２に記載の簡易ロック式ＬＶＤＳコネクタ。
【請求項４】
前記係止ブロックの長さが前記切り欠きの長さよりも長くないことを特徴とする、請求項２に記載の簡易ロック式ＬＶＤＳコネクタ。
【請求項５】
前記ゴム芯に設置され、前記ゴム芯の表面を覆うための金属部材をさらに備えることを特徴とする、請求項１に記載の簡易ロック式ＬＶＤＳコネクタ。
【考案の詳細な説明】
【技術分野】
【０００１】
本考案は、コネクタの技術分野に関し、特に、ロック解除及び固定を提供することが可能な簡易ロック式ＬＶＤＳコネクタに関するものである。
【背景技術】
【０００２】
コネクタは、導線と回路板のエレメントとを接続するものであり、その利点としては、物理的なはんだ付けからもたらされる欠点を解決することができ、組立者は、抜き差し特性を容易に実現することができることである。コネクタを導線と強固に接続できるため、伝統的な技術において発展させてきた多種の自動ラッチロック方式は、コネクタと導線とを脱落させずに容易に接続することができる。
【考案の概要】
【考案が解決しようとする課題】
【０００３】
しかしながら、伝統的な押圧構造は、その変形程度が例えば筐体の影響を受け、変形が生じる過程において、筐体にぶつかることがしばしば起こり、このような構造設計では、ロック解除動作を行うとき、構造が損傷したり、壊れたりするおそれがあり、電気的接続に問題を生じる可能性がある。
【０００４】
これに鑑み、本考案は、伝統的なコネクタにより生じる不具合を解決する、簡易ロック式ＬＶＤＳコネクタを提案する。
【０００５】
本考案の第１の目的は、可撓性フラットケーブル（Ｆｌｅｘｉｂｌｅ  ｆｌａｔ  ｃａｂｌｅ，ＦＦＣ）の自動的なロック固定し、簡易ロック式ＬＶＤＳコネクタから可撓性フラットケーブルをロック解除するために適用される目的が達成される、簡易ロック式ＬＶＤＳコネクタを提供することにある。
【０００６】
本考案の第２の目的は、前述の簡易ロック式ＬＶＤＳコネクタによって、筐体による干渉を受けることのない押圧部材を提供して、ロック固定／ロック解除を容易に行う目的が達成されるものを提供することにある。
【０００７】
本考案の第３の目的は、前述の簡易ロック式ＬＶＤＳコネクタによって、ロック固定部材の一部分（以下、伸長アームと称する）をゴム芯の外側から露出させることにより、伸長アームが、ゴム芯の開口を通してゴム芯の一側（または、外側と称する）の辺縁から外向きに所定距離をおいて突出するものを提供することにある。
【０００８】
本考案の第４の目的は、前述のコネクタによって、接続部材を提供し、付加力を均等に与え、フラット導線を自動的にロック解除する目的が達成されるものを提供することにある。
【０００９】
本考案の第５の目的は、前述のコネクタによって、ゴム芯を覆うための金属部材を提供し、ノイズによる干渉に抗する目的が達成されるものを提供することにある。
【課題を解決するための手段】
【００１０】
上記の目的及びその他の目的を達成するために、本考案は、２つの切り欠きを有する可撓性フラットケーブルに適用される簡易ロック式ＬＶＤＳコネクタを提供する。簡易ロック式ＬＶＤＳコネクタは、ゴム芯と、ロック固定モジュールとを備える。ゴム芯に差込口と、収容空間と、複数の開口とを形成する。差込口は、ゴム芯の一側に形成される。ゴム芯に形成される収容空間は、可撓性フラットケーブルを設置するために供される。開口は、ゴム芯の差込口と対向する他側に形成される。ロック固定モジュールは、第１ロック固定部材と、第２ロック固定部材とを有する。第１ロック固定部材の一部分は収容空間に設置され、第１ロック固定部材の他部分は、前記複数の開口の１つを通してゴム芯の他側の辺縁から第１距離をおいて突出する。第２ロック固定部材の一部分は収容空間に設置され、第２ロック固定部材の他部分は、前記複数の開口の他の１つを通してゴム芯の他側の辺縁から第２距離をおいて突出する。可撓性フラットケーブルを差込口に差し込んで収容空間に進入させ、可撓性フラットケーブルは、ロック固定モジュールの作動を駆動することで、２つの切り欠きを係止し、また第１ロック固定部材と第２ロック固定部材とは、それぞれ外力を受けて独立して駆動されることにより、ロック固定モジュールの２つの切り欠きのうちの１つへの係止を解除することで、差込口を通して可撓性フラットケーブルを収容空間から退避させる。
【考案の効果】
【００１１】
従来の技術に比べて、本考案は、２つの切り欠きを有する可撓性フラットケーブルに適用される簡易ロック式ＬＶＤＳコネクタを提供し、可撓性フラットケーブルをコネクタの収容空間に自動的にラッチロックすることができるから、収容空間に位置する端子に接続することができ、コネクタが提供する第１ロック固定部材と第２ロック固定部材とは、個別にロック解除とロック固定の機能を実行し、また第１ロック固定部材と第２ロック固定部材とは部分的に突出し（すなわち、本文に記載された伸長アーム）、第１ロック固定部材と第２ロック固定部材とに圧力を付与する過程において、比較的長い変形距離を有するため、簡易ロック式ＬＶＤＳコネクタの干渉を受けるまでには至らない。このほか、また別の実施形態において、第１ロック固定部材と第２ロック固定部材とを接続部材を介して接続することができ、第１ロック固定部材と第２ロック固定部材とに対して付加力を均等に与える目的が達成される。
【図面の簡単な説明】
【００１２】
【図１】本考案の第１実施形態の簡易ロック式ＬＶＤＳコネクタの構造模式図である。
【図２】本考案の図１のゴム芯を説明する構造模式図である。
【図３】本考案の図１の第１ロック固定部材を説明する詳細模式図である。
【図４】本考案の図１の第１ロック固定部材とゴム芯との結合を説明する断面模式図である。
【図５】本考案の第２実施形態の簡易ロック式ＬＶＤＳコネクタの構造模式図である。
【図６】本考案の図５の第１ロック固定部材とゴム芯との結合を説明する断面模式図である。
【図７】本考案の図５の第１ロック固定部材と可撓性フラットケーブルとの係止を説明する断面模式図である。
【考案を実施するための形態】
【００１３】
本考案の目的、特徴及び効果を十分に理解してもらうため、ここで、添付の図面を参照して、下記の具体的な実施形態により、後述のように本考案を詳細に説明する。
【００１４】
本考案において、「１つ」または「１個」は、本文に記載されたユニット、エレメント及びコンポーネントを記述するために使用されるものである。これは単に説明の便宜上のためのものであり、なおかつ本考案の範疇に対して一般的な意義を与えるためのものである。従って、別段の意味が明記されていない限り、このような記述は、１個、少なくとも１個を含み、かつ単数形は、複数形をも含むものと理解するべきである。
【００１５】
本考案において、「備える」、「含む」、「有する」、「含有する」という用語、または他のいかなる類似の用語は、非排他的な包含関係をカバーするように意図される。例を挙げて言えば、複数の要件を含有するエレメント、構造、製品または装置は、本文に列挙されたそれらの要件だけに限定されることは必須でなく、明示的には列挙されていないまたは本来備わっているはずの他の要件が、そのようなエレメント、構造、製品または装置に含まれてもよい。このほか、反対の明確な説明がない限り、「または」という用語は、排他的な「または」ではなく、包括的な「または」を意味することが意図されている。
【００１６】
＜第１実施形態＞
本考案の第１実施形態の簡易ロック式ＬＶＤＳコネクタの構造模式図である図１を参照する。図１において、２つの切り欠きを有する可撓性フラットケーブル２（図７を参照）に適用される簡易ロック式ＬＶＤＳコネクタ１０を提供する。可撓性フラットケーブル２の先頭端辺縁箇所に２つの切り欠き（例えば、切り欠きが半密閉の切り込みまたは密閉の穴などであってもよい）を有することは、考案者が他の特許出願で提案したものであり、ここでの繰り返しの説明は省略する。その切り欠きの構造は、主にロック固定を提供するために用いられる。
【００１７】
図１に戻って参照すると、簡易ロック式ＬＶＤＳコネクタ１０は、ゴム芯１２と、ロック固定モジュール１４とを備える。
【００１８】
本考案の図１のゴム芯を説明する構造模式図である図２を併せて参照する。ゴム芯１２に、差込口１２２と、収容空間ＳＰと、開口１２４，１２６とをさらに形成する。ここでは、ゴム芯１２は、電極端子を設置するための凹溝１２８を別途提供し、差込口１２２は、ゴム芯１２の左下側に形成される。ゴム芯１２に形成される収容空間ＳＰには、可撓性フラットケーブル２を設置することができる。開口１２４，１２６は、それぞれゴム芯１２の差込口１２２と対向する他側（すなわち、右上側）に形成される。
【００１９】
図１に戻って参照すると、ロック固定モジュール１４は、第１ロック固定部材１４２と、第２ロック固定部材１４４とを有する。本考案の図１の第１ロック固定部材を説明する詳細模式図である図３を併せて参照する。
【００２０】
図３において、第１ロック固定部材１４２は、押圧ブロック１４２２と、弾性アーム１４２４と、係止ブロック１４２６と、固定ブラケット１４２８と、伸長アーム１４２１０とをさらに有する。ここでは、押圧ブロック１４２２、弾性アーム１４２４、係止ブロック１４２６、固定ブラケット１４２８及び伸長アーム１４２１０により、Ｓ字形構造を呈することを例として説明する。固定ブラケット１４２８から係止ブロック１４２６と、弾性アーム１４２４と、伸長アーム１４２１０とが順に延設される。また、押圧ブロック１４２２は伸長アーム１４２１０を介して弾性アーム１４２４に接続される。
【００２１】
また、係止ブロック１４２６には、斜面１４２６２と、停止壁１４２６４とをさらに形成する。斜面１４２６２に可撓性フラットケーブル２が滑り込むことができ、可撓性フラットケーブル２の切り欠きが停止壁１４２６４に作用して、停止壁１４２６４は、可撓性フラットケーブル２の退避を阻止することができる。その内、係止ブロック１４２６の長さが切り欠きの長さよりも短いか、それに等しい場合には、係止ブロック１４２６は、切り欠きに完全に係止することができる。
【００２２】
押圧ブロック１４２２は、ゴム芯１２の表面上に形成され、係止ブロック１４２６は、弾性アーム１４２４に平行に設置され、かつ弾性アーム１４２４と連動する。すなわち、押圧ブロック１４２２が外力Ｆの付加を受けるとき、外力Ｆは、伸長アーム１４２１０を介して伝達され、弾性アーム１４２４と係止ブロック１４２６とに作用し、固定ブラケット１４２８からの反作用力により、弾性アーム１４２４に変形が生じて圧縮され、固定ブラケット１４２８から係止ブロック１４２６と、弾性アーム１４２４と、伸長アーム１４２１０とが順に延設されるので、弾性アーム１４２４の圧縮も係止ブロック１４２６と連動することになり、すなわち、係止ブロック１４２６も弾性アーム１４２４の変形に沿って位置が変化するので、切り欠きがそれ以上停止壁１４２６４で阻止されなくなるまで、停止壁１４２６４を下向きに移動させ続け、かつ斜面１４２６２を所定角度傾斜させ続ける。本考案の図１の第１ロック固定部材とゴム芯との結合を説明する断面模式図である図４を併せて参照する。
【００２３】
伸長アーム１４２１０は、開口１２４を通してゴム芯１２の後側（または、外側と称する）の辺縁から第１距離Ｄ１をおいて突出する。このため、伸長アーム１４２１０をゴム芯１２の後側（または、外側と称する）から第１距離Ｄ１をおいて露出させ、かつ突出させるので、押圧ブロック１４２２に外力Ｆを付加するとき、押圧ブロック１４２２と弾性アーム１４２４は、伸長アーム１４２１０によって変形量を比較的大きく得ることができ、押圧ブロック１４２２は、単にゴム芯１２の表面方向に沿って垂直に作動するだけではないので、押圧ブロック１４２２がゴム芯１２の表面にぶつかる事情を発生させることがなくなる。
【００２４】
このほか、第２ロック固定部材１４４の構造は、第１ロック固定部材１４２の構造と同一であり、かつその相違点は、異なる位置に設置されるだけであるため、ここでは、第１ロック固定部材１４２のみを例示として説明する。図１において、第２ロック固定部材１４４の伸長アーム１４２１０は、開口１２６を通してゴム芯１２の後側の辺縁から第２距離Ｄ２をおいて突出する。ここでは、第１距離Ｄ１は、第２距離Ｄ２と同等であることを例として説明する。
【００２５】
図１に戻って参照すると、簡易ロック式ＬＶＤＳコネクタ１０は、ゴム芯１２に設置され、ゴム芯１２の表面を覆うための金属部材１６をさらに備え、ゴム芯１２を外装ケースまたは基板にロック固定することができる以外に、さらに電磁干渉に対して遮蔽を行うこともできる。
【００２６】
＜第２実施形態＞
本考案の第２実施形態の簡易ロック式ＬＶＤＳコネクタの構造模式図である図５を参照する。図５には、簡易ロック式ＬＶＤＳコネクタ１０´を提供し、第１実施形態のゴム芯１２を備える以外に、その相違点は、ロック固定モジュール１４は、接続部材１８をさらに備える点である。
【００２７】
ゴム芯１２とロック固定モジュール１４についての記述は、概ね前述のとおりであり、ここでの繰り返しの説明は省略する。
【００２８】
接続部材１８は、第１ロック固定部材１４２の押圧ブロック１４２２と第２ロック固定部材１４４の押圧ブロック１４２２とを接続し、接続部材１８が外力Ｆにより押圧されることで、第１ロック固定部材１４２の弾性アーム１４２４と第２ロック固定部材１４４の弾性アーム１４２４とを変形させることにより、第１ロック固定部材１４２の係止ブロック１４２６と第２ロック固定部材１４４の係止ブロック１４２６とは、同時に２つの切り欠きへの係止を解除することができる。本実施形態において、接続部材１８は、外力Ｆを付加する位置に接触面積を増加することができ、外力Ｆを付加する位置は、すなわち、接触部１８２を指す位置であり、例えば、前述の外力Ｆを手指で付加するために供される位置である。
【００２９】
本考案の図５の第１ロック固定部材とゴム芯との結合を説明する断面模式図である図６を併せて参照する。図６において、伸長アーム１４２１０は、開口１２４を通してゴム芯１２の後側（または、外側と称する）の辺縁から第１距離Ｄ１をおいて突出する。このため、伸長アーム１４２１０をゴム芯１２の後側（または、外側と称する）から第１距離Ｄ１をおいて露出させ、かつ突出させるので、押圧ブロック１４２２に外力Ｆを付加するとき、押圧ブロック１４２２と弾性アーム１４２４は、伸長アーム１４２１０によって変形量を比較的大きく得ることができ、押圧ブロック１４２２は、単にゴム芯１２の表面方向に沿って垂直に作動するだけではないので、押圧ブロック１４２２がゴム芯１２の表面にぶつかる事情を発生させることがなくなる。
【００３０】
このほか、第２ロック固定部材１４４の構造は、第１ロック固定部材１４２の構造と同一であり、かつその相違点は、異なる位置に設置されるだけであるため、ここでは、第１ロック固定部材１４２のみを例示として説明する。図６において、第２ロック固定部材１４４の伸長アーム１４２１０は、開口１２６を通してゴム芯１２の後側の辺縁から第２距離Ｄ２をおいて突出する。ここでは、第１距離Ｄ１は、第２距離Ｄ２と同等であることを例として説明する。
【００３１】
本考案の図５の第１ロック固定部材と可撓性フラットケーブルとの係止を説明する断面模式図である図７を併せて参照する。図７において、可撓性フラットケーブル２を差込口１２２に差し込み、かつ収容空間ＳＰに進入させた後、可撓性フラットケーブル２は、ロック固定モジュール１４の作動を駆動することで、２つの切り欠きを係止することができる。可撓性フラットケーブル２のロック固定を解除しようとするとき、第１ロック固定部材１４２と第２ロック固定部材１４４は、それぞれ外力Ｆを受け、かつ独立して駆動されることにより、ロック固定モジュール１４の２つの切り欠きの１つへの係止を解除することで、可撓性フラットケーブル２を、差込口１２２を通して収容空間ＳＰから退避させる。
【符号の説明】
【００３２】
２…可撓性フラットケーブル
１０，１０´…簡易ロック式ＬＶＤＳコネクタ
１２…ゴム芯
１２２…差込口
１２４，１２６…開口
１２８…凹溝
１４…ロック固定モジュール
１４２…第１ロック固定部材
１４２２…押圧ブロック
１４２４…弾性アーム
１４２６…係止ブロック
１４２６２…斜面
１４２６４…停止壁
１４２８…固定ブラケット
１４２１０…伸長アーム
１４４…第２ロック固定部材
１６…金属部材
１８…接続部材
１８２…接触部
ＳＰ…収容空間
Ｆ…外力
Ｄ１…第１距離
Ｄ２…第２距離
【図１】
0003229227.tif 000003
【図２】
0003229227.tif 000004
【図３】
0003229227.tif 000005
【図４】
0003229227.tif 000006
【図５】
0003229227.tif 000007
【図６】
0003229227.tif 000008
【図７】
0003229227.tif 000009